(57)【要約】【課題】屈曲性に優れており、また組み立て作業性に優れたアンテナ構造を提供する。【解決手段】導電金属からなるスプリングパイプ１０内に、導電金属からなる細いロッド状部材を引き出し収容自在に配設し、スプリングパイプ１０からの抜けを規制するアンテナ構造に関する。スプリングパイプ１０の先端外周に嵌合し得る内径を有しロッド状部材１２の抜けを規制する金属スリーブ３０をインサートしてスプリングパイプ１０の先端側が挿入される可撓性チュ−ブ３２を樹脂成形する。スプリングパイプ１０を可撓性チューブ３２に挿入するとともに金属スリーブ３０に先端を嵌合させ、さらに金属スリーブ３０をカシメてスプリングパイプ１０に固定する。スプリングパイプ１０の外周で可撓性チューブ３２のみが配設される範囲を長くでき、屈曲性に優れる。また、カシメによる固定のみであり、接着材を必要とせず、作業が容易である。【選択図】    図１
2005109739.tif 000002
【特許請求の範囲】
【請求項１】
導電金属からなるスプリングパイプ内に、導電金属からなる細いロッド状部材を引き出し収容自在に配設するとともに前記スプリングパイプからの抜けを規制するアンテナ構造において、前記スプリングパイプの先端外周に嵌合し得る内径を有するとともに前記ロッド状部材の抜けを規制する金属スリーブをインサートして前記スプリングパイプの先端側が挿入される可撓性チューブを樹脂成形し、前記スプリングパイプを前記可撓性チューブに挿入するとともに前記金属スリーブに先端を嵌合させ、さらに前記金属スリーブをカシメて前記スプリングパイプに固定し、前記金属スリーブで前記スプリングパイプに挿入される前記ロッド状部材の抜けを規制するように構成したことを特徴とするアンテナ構造。
【発明の詳細な説明】
【技術分野】
【０００１】
本発明は、可撓性に優れたアンテナ構造に関するものである。
【背景技術】
【０００２】
従来のアンテナ構造の一例を図４ないし図６を参照して説明する。図４は、従来のアンテナ構造の全体を示し、（ａ）はアンテナ収納状態の図であり、（ｂ）はアンテナ引き出し状態の図である。図５は、スプリングパイプを組み込んだ部材の縦断面図である。図６は、スプリングパイプの組み込んだ部材の組み立て工程を示す図である。
【０００３】
図４において、導電金属からなるスプリングパイプ１０内に、導電金属からなる細いロッド状部材１２が引き出し収容自在に配設される。そして、スプリングパイプ１０の先端側の外周に固定された金属スリーブ１４により、ロッド状部材１２の先端方向への抜けが適宜に規制される。ロッド状部材１２の先端部には、トップローディングアンテナエレメント１６が配設される。また、スプリングパイプ１０は、導電金属からなる給電部材１８に軸方向に移動自在に挿入され、しかもスプリングパイプ１０の基端部に導電金属からなるストッパー２０が固定されて、給電部材１８から先端方向への抜けが規制される。そして、給電部材１８が適宜に無線通信機器の筐体２２に固定される。もって、図４（ａ）のごときアンテナ収納状態では、トップローディングアンテナエレメント１６を筐体２２から外方に突出させてスプリングパイプ１０およびロッド状部材１２が筐体２２内に収容される。そして、図４（ｂ）のごときアンテナ引き出し状態では、ロッド状部材１２がスプリングパイプ１０から引き出されるとともに給電部材１８からスプリングパイプ１０が筐体２２の外方に引き出される。
【０００４】
さらに、スプリングパイプ１０を組み込んだ部材の構造は、図５に示すごとく、スプリングパイプ１０の先端側の外周に金属スリーブ１４が組み付けられ、基端側の外周にストッパー２０が組み付けられ、中間部の外周に樹脂などからなる可撓性チューブ２４が被せられる。
【０００５】
このスプリングパイプ１０の組み込み工程は、図６（ａ）の金属スリーブ１４に、スプリングパイプ１０の先端側外周に接着剤を塗布して、図６（ｂ）のごとく、先端部をねじ込み挿入する。さらに、スプリングパイプ１０の基端側から、先端部外周に接着剤を塗布した可撓性チューブ２４が被せられて、先端部が金属スリーブ１４内に挿入される。そしてさらに、金属スリーブ１４をカシメてスプリングパイプ１０と固定する。かかる組み立て体に、ロッド状部材１２を抜けないように適宜に組み付け、さらにスプリングパイプ１０を給電部材１８に挿通し、最後にスプリングパイプ１０の基端部にストッパー２０をカシメなどにより固定する。
【０００６】
かかる構造からなる従来のアンテナ構造において、アンテナ引き出し状態で、アンテナに対して横方向に曲げる力が作用すると、ロッド状部材１２およびスプリングパイプ１０が弾性変形して、アンテナが破損されるのが回避される。
【発明の開示】
【発明が解決しようとする課題】
【０００７】
上述の従来のアンテナ構造にあっては、金属スリーブ１４が比較的長く設定される。これは、可撓性チューブ２４の上端部を覆い隠すとともに、可撓性チューブ２４がスプリングパイプ１０に対して軸方向に相対移動しないように、可撓性チューブ２４と金属スリーブ１４の接着固定シロが必要とされるためである。そこで、図５に示すごとく、スプリングパイプ１０の外周で、金属スリーブ１４およびストッパー２０が設けられておらず、可撓性チューブ２４のみが設けられている寸法ｄ１は、あまり長く設定し得ない。
【０００８】
かかる理由から、アンテナ引き出し状態で、アンテナに対して横方向に曲げる力が作用すると、スプリングパイプ１０は、可撓性チューブ２４のみが外周に設けられる短い寸法ｄ１の範囲で弾性変形することとなり、屈曲性に欠けていた。また、可撓性チューブ２４を金属スリーブ１４に固定するために接着剤の塗布を組み立て工程中に必要とし、組み立て作業性の悪いものであった。
【０００９】
本発明は、上述のごとき従来技術を改良してより屈曲性に優れるとともに、組み立て作業性に優れたアンテナ構造を提供することを目的とする。
【課題を解決するための手段】
【００１０】
かかる目的を達成するために、本発明のアンテナ構造は、導電金属からなるスプリングパイプ内に、導電金属からなる細いロッド状部材を引き出し収容自在に配設するとともに前記スプリングパイプからの抜けを規制するアンテナ構造において、前記スプリングパイプの先端外周に嵌合し得る内径を有するとともに前記ロッド状部材の抜けを規制する金属スリーブをインサートして前記スプリングパイプの先端側が挿入される可撓性チュ−ブを樹脂成形し、前記スプリングパイプを前記可撓性チューブに挿入するとともに前記金属スリーブに先端を嵌合させ、さらに前記金属スリーブをカシメて前記スプリングパイプに固定し、前記金属スリーブで前記スプリングパイプに挿入される前記ロッド状部材の抜けを規制するように構成されている。
【発明の効果】
【００１１】
金属スリーブをインサートして可撓性チューブを樹脂成形し、この可撓性チューブにスプリングパイプの先端部を挿入し、金属スリーブをカシメてスプリングパイプに固定するので、従来構造のごとく接着固定シロが不要となる。そこで金属スリーブ自体が比較的に短く設定できる。もって、スプリングパイプの外周に可撓性チューブのみが設けられている寸法を長く設定することができ、それだけ屈曲性に優れている。また、スプリングパイプの組み立て工程は、スプリングパイプを可撓性チューブに挿入して金属スリーブをカシメるだけであり、接着剤塗布を必要とせず、作業が容易である。
【発明を実施するための最良の形態】
【００１２】
以下、本発明の一実施例を図１ないし図３を参照して説明する。図１は、本発明のアンテナ構造のスプリングパイプを組み込んだ部材の縦断面図である。図２は、スプリングパイプを組み込んだ部材の組み立て工程を示す図である。図３は、本発明のアンテナ構造が屈曲性に優れていることを示す図である。図１ないし図３において、図４ないし図６と同じまたは均等な部材には同じ符号を付けて重複する説明を省略する。
【００１３】
図１において、スプリングパイプ１０の先端部が挿入嵌合し得る内径を有するとともにロッド状部材１２の抜けを規制する金属スリーブ３０がインサートされて、可撓性チューブ３２が可撓性を有する樹脂で一体成形される。なお、可撓性チューブ３２には、金属スリーブ３０のカシメ用の孔３２ａ，３２ａが設けられる。そして、スプリングパイプ１０の基端側にストッパー２０がカシメなどにより固定されるが、可撓性チューブ３２は、スプリングパイプ１０の先端から基端部のストッパー２０に至る長い範囲の外周を覆うように配設される。
【００１４】
この可撓性チューブ３２にスプリングパイプを組み込む工程は、図２（ａ）のごとき金属スリーブ３０が一体成形された可撓性チューブ３２に、図２（ｂ）のごとく、スプリングパイプ１０を挿入してその先端を金属スリーブ３０に挿入嵌合させ、さらに孔３２ａ，３２ａに工具を挿入して金属スリーブ３０をカシメてスプリングパイプ１０に固定すれば足りる。従来技術のごとき接着剤の塗布を必要とせず、組み立て工程が簡単容易である。
【００１５】
そして、本発明のアンテナ構造は、接着固定シロを必要とせず、金属スリーブ３０の寸法を従来技術に比較して大幅に短縮することができる。そこで、図１に示すごとく、スプリングパイプ１０の外周で可撓性チューブ３２のみで覆われる寸法ｄ２を長く設定することができる。この結果、図３に示すごとく、スプリングパイプ１０の屈曲し得る長さが長い分だけ、アンテナの屈曲性が優れたものとなる。
【００１６】
なお、上記実施例では、ロッド状部材１２の先端部にトップローディングアンテナエレメント１６が設けられているが、これに限られず、トップローディングアンテナエレメント１６が設けられていなくても良い。さらに、ロッド状部材１２が筐体２２側に配設され、突出先端側にスプリングパイプ１０が配設されるものであっても良い。スプリングパイプ１０に対してロッド状部材１２が引き出し収容自在とされるいかなるアンテナにも、本発明のアンテナ構造を適用することができる。
【図面の簡単な説明】
【００１７】
【図１】本発明のアンテナ構造のスプリングパイプを組み込んだ部材の縦断面図である。
【図２】スプリングパイプを組み込んだ部材の組み立て工程を示す図である。
【図３】本発明のアンテナ構造が屈曲性に優れていることを示す図である。
【図４】従来のアンテナ構造の全体を示し、（ａ）はアンテナ収納状態の図であり、（ｂ）はアンテナ引き出し状態の図である。
【図５】スプリングパイプを組み込んだ部材の縦断面図である。
【図６】スプリングパイプの組み込んだ部材の組み立て工程を示す図である。
【符号の説明】
【００１８】
１０  スプリングパイプ
１２  ロッド状部材
１４，３０  金属スリーブ
２４，３２  可撓性チューブ
【図１】
2005109739.tif 000003
【図２】
2005109739.tif 000004
【図３】
2005109739.tif 000005
【図４】
2005109739.tif 000006
【図５】
2005109739.tif 000007
【図６】
2005109739.tif 000008